(57)【要約】【課題】複数の医用画像を並べて表示する際に、複数の医用画像それぞれの表示領域上で、その画像の特徴量と、複数の画像にわたる特徴量の変化を効率よく確認できる医用画像処理装置、方法、及びプログラムを提供する。【解決手段】複数の医用画像を並べて表示する表示部と、表示部における前記複数の医用画像それぞれの表示領域内で、前記複数の医用画像の特徴量をグラフ上にプロットしたグラフ表示と、当該医用画像の特徴量の項目名と値を文字で表示したラベル表示とを切り替える表示制御部とを備える。【選択図】図５
2016158828.tif 000002
【特許請求の範囲】
【請求項１】
複数の医用画像を並べて表示する表示部と、
該表示部における前記複数の医用画像それぞれの表示領域内で、前記複数の医用画像の特徴量をグラフ上にプロットしたグラフ表示と、当該医用画像の特徴量の項目名と値を文字で表示したラベル表示とを切り替える表示制御部と
を備えたことを特徴とする医用画像処理装置。
【請求項２】
ユーザによる入力を受け付ける入力部を備え、
前記表示制御部が、複数項目の特徴量について前記ラベル表示を行い、該表示に対して前記入力部により前記複数項目の特徴量のうちいずれか１つを選択する入力を受け付けた場合に、前記選択された項目の特徴量についての前記グラフ表示へ表示を切り替えるものであることを特徴とする請求項１記載の医用画像処理装置。
【請求項３】
前記各医用画像の特徴量が、該医用画像に予め設定された関心領域の特徴量であり、
前記表示制御部が、前記複数の医用画像それぞれにおいて、当該医用画像に設定された関心領域の近傍で前記グラフ表示と前記ラベル表示とを切り替えるものであることを特徴とする請求項１または２記載の医用画像処理装置。
【請求項４】
ユーザによる入力を受け付ける入力部を備え、
前記表示制御部が、前記グラフ表示または前記ラベル表示を行い、該表示に対して前記入力部により表示の切り替えを指示する入力を受け付けた場合に、前記表示の切り替えを行うものであることを特徴とする請求項１または３記載の医用画像処理装置。
【請求項５】
前記入力部が、マウスまたはキーボードであり、
前記表示制御部が、前記グラフ表示または前記ラベル表示を行い、該表示に対して前記表示の切り替えに予め関連付けられた、前記マウスまたはキーボードによる入力操作を受け付けた場合に、前記表示の切り替えを行うものであることを特徴とする請求項４記載の医用画像処理装置。
【請求項６】
前記表示制御部が、予め設定された時間間隔で前記表示の切り替えを行うものであることを特徴とする請求項１または３記載の医用画像処理装置。
【請求項７】
表示部に複数の医用画像を並べて表示するとともに、前記表示部における前記複数の医用画像それぞれの表示領域内で、前記複数の医用画像の特徴量をグラフ上にプロットしたグラフ表示と、当該医用画像の特徴量の項目名と値を文字で表示したラベル表示とを切り替えることを特徴とする医用画像処理方法。
【請求項８】
複数項目の特徴量について前記ラベル表示を行い、該表示に対して前記複数項目の特徴量のうちいずれか１つを選択するユーザによる入力を受け付けた場合に、前記選択された項目の特徴量についての前記グラフ表示へ表示を切り替えることを特徴とする請求項７記載の医用画像処理方法。
【請求項９】
コンピュータを、
複数の医用画像を並べて表示する表示部と、
該表示部における前記複数の医用画像それぞれの表示領域内で、前記複数の医用画像の特徴量をグラフ上にプロットしたグラフ表示と、当該医用画像の特徴量の項目名と値を文字で表示したラベル表示とを切り替える表示制御部として機能させるための医用画像処理プログラム。
【請求項１０】
前記コンピュータを、ユーザによる入力を受け付ける入力部としてさらに機能させるための医用画像処理プログラムであって、
前記表示制御部が、複数項目の特徴量について前記ラベル表示を行い、該表示に対して前記入力部により前記複数項目の特徴量のうちいずれか１つを選択する入力を受け付けた場合に、前記選択された項目の特徴量についての前記グラフ表示へ表示を切り替えるものであることを特徴とする請求項９記載の医用画像処理プログラム。
【発明の詳細な説明】
【技術分野】
【０００１】
本発明は、複数の医用画像を並べて表示するとともに、複数の医用画像それぞれの表示領域上にアノテーションを表示する医用画像処理装置、方法、及びプログラムに関する。
【背景技術】
【０００２】
従来、同一の被写体を経時的に複数回撮影して得られた複数の画像を比較観察して、病変部の経時変化等を観察することが多く行われている。また、画像を直接観察する他に、画像に設定した関心領域について各種の特徴量を求めて、その特徴量を観察することも行われている。そのような特徴量としては、関心領域の面積や最大径等の形状に関する特徴量、関心領域内の画素値の最大値や平均値等の画素値に関する特徴量等が挙げられる。
【０００３】
特許文献１には、同一の被写体を繰り返し撮影して得られた時系列の複数の画像を並べて表示するとともに、複数の画像の特徴量を時相に沿ってプロットしたグラフを作成し、表示する画像処理方法が示されている。このグラフ表示によれば、特徴量の経時的変化を容易に確認することができる。また、特許文献２および特許文献３には、画像を表示する際に、その画像に関する各種情報を画像の表示領域内に重畳して表示する画像処理方法が示されている。
【０００４】
そこで、たとえば時系列の複数の画像を並べて表示する際に、複数の画像それぞれの表示領域内に、その画像の特徴量の値を文字で表示したラベル表示、及び複数の画像の特徴量をグラフ上のプロットしたグラフ表示を重畳して表示することが考えられる。
【先行技術文献】
【特許文献】
【０００５】
【特許文献１】特開２０１４‐３０５５７号公報
【特許文献２】特開２００５‐２７８７８６号公報
【特許文献３】特開２００３‐３０５０２８号公報
【発明の概要】
【発明が解決しようとする課題】
【０００６】
しかし、複数の画像それぞれの表示領域内に、その画像の特徴量の値を文字で表示したラベル表示に加えて、複数の画像の特徴量をグラフ上にプロットしたグラフ表示まで一度に表示させると、各々の画像上に重畳表示される情報が多すぎて、各々の情報が見づらくなり、逆に理解の妨げになる場合がある。
【０００７】
本発明は、上記事情に鑑み、複数の医用画像を並べて表示する際に、複数の医用画像それぞれの表示領域上で、その画像の特徴量と、複数の画像にわたる特徴量の変化を効率よく確認できる医用画像処理装置、方法、及びプログラムを提供することを目的とするものである。
【課題を解決するための手段】
【０００８】
本発明の医用画像処理装置は、複数の医用画像を並べて表示する表示部と、表示部における複数の医用画像それぞれの表示領域内で、複数の医用画像の特徴量をグラフ上にプロットしたグラフ表示と、医用画像の特徴量の項目名と値を文字で表示したラベル表示とを切り替える表示制御部とを備えたことを特徴とする。
【０００９】
本発明の医用画像処理装置において、ユーザによる入力を受け付ける入力部を備え、表示制御部は、複数項目の特徴量についてラベル表示を行い、入力部により複数項目の特徴量のうちいずれか１つを選択する入力を受け付けた場合に、選択された項目の特徴量についてのグラフ表示へ表示を切り替えるものであってもよい。
【００１０】
本発明の医用画像処理装置において、各医用画像の特徴量は、医用画像に予め設定された関心領域の特徴量であり、表示制御部は、複数の医用画像それぞれにおいて、医用画像に設定された関心領域の近傍でグラフ表示とラベル表示とを切り替えるものであってもよい。
【００１１】
ここで、関心領域の近傍とは、関心領域の上下、左右又は斜めに隣接又は近接したある程度の空間的な拡がりを有する領域であって、その領域に表示される情報が関心領域に関するものであることを直感的に認識可能な領域を意味する。
【００１２】
本発明の医用画像処理装置において、ユーザによる入力を受け付ける入力部を備え、表示制御部は、グラフ表示またはラベル表示を行い、入力部により表示の切り替えを指示する入力を受け付けた場合に、表示の切り替えを行うものであってもよい。
【００１３】
このとき、入力部は、マウスまたはキーボードであり、表示制御部は、グラフ表示またはラベル表示を行い、表示の切り替えに予め関連付けられた、マウスまたはキーボードによる入力操作を受け付けた場合に、表示の切り替えを行うものであってもよい。
【００１４】
本発明の医用画像処理装置において、表示制御部は、予め設定された時間間隔で表示の切り替えを行うものであってもよい。
【００１５】
本発明の医用画像処理方法は、表示部に複数の医用画像を並べて表示するとともに、表示部における複数の医用画像それぞれの表示領域内で、複数の医用画像の特徴量をグラフ上にプロットしたグラフ表示と、医用画像の特徴量の項目名と値を文字で表示したラベル表示とを切り替えることを特徴とする。
【００１６】
本発明の医用画像処理方法は、複数項目の特徴量についてラベル表示を行い、表示に対して複数項目の特徴量のうちいずれか１つを選択するユーザによる入力を受け付けた場合に、選択された項目の特徴量についてのグラフ表示へ表示を切り替えるものであってもよい。
【００１７】
本発明の医用画像処理プログラムは、コンピュータを、複数の医用画像を並べて表示する表示部と、表示部における複数の医用画像それぞれの表示領域内で、複数の医用画像の特徴量をグラフ上にプロットしたグラフ表示と、医用画像の特徴量の項目名と値を文字で表示したラベル表示とを切り替える表示制御部として機能させるためのものである。
【００１８】
本発明の医用画像処理プログラムは、コンピュータを、ユーザによる入力を受け付ける入力部としてさらに機能させるためのものであり、表示制御部は、複数項目の特徴量についてラベル表示を行い、表示に対して入力部により複数項目の特徴量のうちいずれか１つを選択する入力を受け付けた場合に、選択された項目の特徴量についてのグラフ表示へ表示を切り替えるものであってもよい。
【００１９】
また、本発明の医用画像処理プログラムは、通常、複数のプログラムモジュールからなり、上記各部の機能は、それぞれ、一または複数のプログラムモジュールにより実現される。これらのプログラムモジュール群は、ＣＤ−ＲＯＭ，ＤＶＤなどの記録メディアに記録され、またはサーバコンピュータに付属するストレージやネットワークストレージにダウンロード可能な状態で記録されて、ユーザに提供される。
【発明の効果】
【００２０】
本発明の医用画像処理装置、方法、及びプログラムによれば、表示部に複数の医用画像を並べて表示するとともに、表示部における複数の医用画像それぞれの表示領域内で、複数の医用画像の特徴量をグラフ上にプロットしたグラフ表示と、医用画像の特徴量の項目名と値を文字で表示したラベル表示とを切り替えるようにしているので、その時点での確認の対象がラベル表示又はグラフ表示のいずれか一方であるときに、他方の表示を一時的に非表示にすることができ、表示されている情報の視認性を高めることができる。これにより、複数の医用画像それぞれの表示領域上で、その医用画像の特徴量の値と、複数の医用画像にわたる特徴量の変化を効率よく確認することができる。
【図面の簡単な説明】
【００２１】
【図１】本発明の一実施形態を備えた医用画像診断支援システムの概略構成を示す図
【図２】図１の医用画像処理装置に実装された機能を示すブロック図
【図３】各医用画像の関心領域近傍にラベル表示が表示された状態を示す図
【図４】各医用画像の関心領域近傍にグラフ表示が表示された状態を示す図
【図５】ラベル表示とグラフ表示の切り替えを指示する入力の例を示す図（その１）
【図６】ラベル表示とグラフ表示の切り替えを指示する入力の例を示す図（その２）
【図７】図１の医用画像処理装置により行われる処理の流れを示すフローチャート
【発明を実施するための形態】
【００２２】
以下、図面を参照して、本発明の医用画像処理装置、方法、及びプログラムの一実施形態を備えた医用画像診断支援システムについて説明する。、図１は、医用画像診断支援システムの概略構成を示すブロック図である。図１に示すように、このシステムでは、撮影装置１と、画像保管サーバ２と、医用画像処理装置３とが、ネットワーク９を経由して通信可能な状態で接続されている。
【００２３】
撮影装置１は、被写体を撮影して画像を取得する装置であり、具体的には、ＣＴ（Computed Tomography）装置、ＭＲＩ（Magnetic Resonance Imaging）装置等である。画像保管サーバ２は、撮影装置１により取得された画像をデータベースに保存し管理するコンピュータであり、外部記憶装置やデータベース管理ソフトウェアを備えている。ここでは、撮影装置１により、比較観察の対象となる複数の医用画像（たとえば、時系列画像等）が撮影され、撮影された複数の医用画像が画像保管サーバ２に保存されているものとする。
【００２４】
医用画像処理装置３は、ユーザからの要求に応じて、撮影装置１や画像保管サーバ２から画像を取得し表示させるコンピュータ（スマートフォンやタブレットコンピュータを含む）であり、ＣＰＵ（Central Processing Unit）等が格納される装置本体４と、表示を行う表示部５と、ユーザによる入力を受け付ける入力部６とで構成されている。表示部５は、表示機能のあるものであればよく、例えば液晶ディスプレイ、タッチパネル、タッチスクリーン等が適宜用いられる。入力部６は、ユーザの入力操作を受け付ける機能のあるものであればよく、例えばマウス、キーボード、タッチパッド等が適宜用いられる。タッチペンとタッチペンの操作を受け付けるディスプレイ、タッチパネル、タッチスクリーンなど、表示機能も備えるものはこれらが表示部５と入力部６を兼ねるものとして用いることができる。
【００２５】
装置本体４は、ＣＰＵ４ａ、メモリ４ｂ、およびＨＤＤ（Hard Disk Drive）４ｃで構成されている。そして、ＣＰＵ４ａ、メモリ４ｂ、およびＨＤＤ４ｃは互いにバスラインで接続されている。ＨＤＤ４ｃには、本発明の医用画像処理プログラムを含む各種プログラムとそのプログラムが参照するデータが記憶されている。ＣＰＵ４ａは、ＨＤＤ４ｃに記憶されているプログラムに従い、メモリ４ｂを一次記憶領域として、各種処理を実行する。
【００２６】
図２は、医用画像処理装置３の機能を示す機能ブロック図である。図２に示すように、医用画像処理装置３の装置本体４は、ＨＤＤ４ｃに記憶されているプログラムによる情報処理をＣＰＵ４ａが実行することで、画像取得部４１、関心領域設定部４２、特徴量取得部４３、および表示制御部４４として機能する。
【００２７】
画像取得部４１は、ユーザからの要求に応じて、画像保管サーバ２から画像を取得する。たとえば入力部６により表示対象の一連の医用画像を特定して表示を指示する入力を受けて、画像保管サーバ２からその特定された一連の医用画像を取得する。画像取得手段４１により取得された複数の医用画像は、ＨＤＤ４ｃに記憶され、また、表示制御部４４により表示部５に表示される。
【００２８】
関心領域設定部４２は、画像取得部４１により取得された複数の医用画像のそれぞれに関心領域を設定する。例えば、関心領域設定部４２は、入力部６により、表示部２５に表示された複数の医用画像のうちいずれか１つに対して領域（例えば、長方形、楕円形、多角形の領域、又はフリーハンドで囲んだ領域）を指定する操作を受け付ける。そして、関心領域設定部４２は、受け付けた領域を関心領域として当該医用画像に設定するとともに、同じ関心領域を他の医用画像それぞれにも適用して設定する。
【００２９】
特徴量取得部４３は、画像取得部４１により取得された各医用画像について、関心領域設定部４２によって設定された関心領域の特徴量を画像解析により取得する。例えば、特徴量取得部４３は、複数の医用画像のそれぞれにおいて、関心領域の面積、長径等の形状に関する特徴量、および関心領域内の画素値の最大値、最小値、平均値、標準偏差等の画素値に関する特徴量等を取得する。
【００３０】
表示制御部４４は、画像取得部４１により取得された複数の医用画像を表示部５に並べて表示する。また、表示制御部４４は、特徴量取得部４３により取得された特徴量の情報に基づいて、複数の医用画像の特徴量（関心領域の特徴量）をグラフ上にプロットしたグラフ表示と、各医用画像の特徴量（関心領域の特徴量）の項目名と値を文字で表示したラベル表示のそれぞれを行うための表示用データを生成する。そして、生成された表示用データを用いて、表示部５における各医用画像の関心領域近傍にグラフ表示又はラベル表示を行う。さらに、ユーザからの要求に応じて、グラフ表示とラベル表示の切り替えを行う。このとき、各医用画像におけるグラフ表示の際には、その医用画像の特徴量のプロット位置にマークを付する等して、その医用画像の特徴量を視覚的に認識可能にすることが好ましい。
【００３１】
表示制御部４４は、具体的には、図３に示すように、各医用画像Ｐｉ（ｉ＝１，２，３，４）に設定された関心領域Ｒｉ（ｉ＝１，２，３，４）の近傍に、グラフ表示やラベル表示等のアノテーション（関連情報）を表示するためのアノテーション表示領域Ａｉ（ｉ＝１，２，３，４）を設定し、設定されたアノテーション表示領域Ａｉにて、入力部６により表示の切り替えを指示する入力を受け付けたときに、グラフ表示とラベル表示の切り替えを行う。このとき、グラフ表示とラベル表示のうちどの表示を初期表示として表示させるかは、自動または手動で事前に設定しておくこととする。また、特徴量取得部４３により取得された特徴量の項目が複数である場合において、グラフ表示を行う際には、いずれか１つの項目を手動または自動で選択し、選択された項目に関するグラフ表示を行うものとする。もちろん、ユーザからの要求に応じて、たとえば１つのグラフ表示上に２以上の特徴量を表示させたり、アノテーション表示領域Ａｉ内に２以上のグラフ表示を行うようにしてもよい。図３には、各医用画像の関心領域近傍にラベル表示が表示された状態の例が示されており、図４には、各医用画像の関心領域近傍にグラフ表示が表示された状態の例が示されている。
【００３２】
表示制御部４４は、具体的には、表示の切り替えに予め関連付けられた、マウス、キーボード等による入力操作を受け付けた場合に、表示の切り替えを行う。たとえば、図５に示すように、ユーザが、ラベル表示（図５の左側の表示）又はグラフ表示（図５の右側の表示）上で、アノテーション表示領域Ａ１にマウスのカーソルＣを合せて右ボタン（又は左ボタン）をクリックする操作に応じて、ラベル表示からグラフ表示へ、又はグラフ表示からラベル表示へ表示の切り替えを行うことができる。この他にも、たとえば、アノテーション表示領域Ａｉ内にマウスのカーソルを所定時間以上保持するユーザによるマウス操作に応じて、表示の切り替えを行うようにしてもよいし、アノテーション表示領域Ａｉの外から内へ、または内から外へカーソルを移動させるユーザによるマウス操作に応じて、表示の切り替えを行うようにしてもよい。また、マウスの右クリックメニューに「切り替え」のボタン予め登録しておき、右クリックメニューで「切り替え」ボタンを選択するユーザによるマウス操作に応じて、表示の切り替えを行うようにしてもよい。また、表示の切り替えに予め関連づけられたキーボードのキー操作（たとえば、矢印キー操作、「Ｃｔｒｌ」キーを押しながら「Ｇ」キーを押す操作等）が行われたことに応じて、表示の切り替えを行うようにしてもよい。
【００３３】
なお、この表示制御部４４による表示の切り替えは、入力部６による入力操作が行われた医用画像においてのみ行われるようにしてもよいし、表示部５に表示されている全ての医用画像において行われるようにしてもよい。
【００３４】
表示制御部４４は、複数項目の特徴量に関するラベル表示からグラフ表示へ表示の切り替えを行う際には、たとえば、ラベル表示上で、入力部６により複数項目の特徴量のうちいずれか１つを選択する入力を受けて、その選択された項目の特徴量に関するグラフ表示へ表示の切り替えを行う。たとえば図６に示すように、関心領域の「面積」、「平均値」、「標準偏差」、「最大値」、「最小値」、および「長径」の値が文字で表示されたラベル表示（図６の左側の表示）上で、ユーザが、表示されている複数項目の特徴量のうちの一つである「平均値」の表示部分ａ１にマウスのカーソルＣを合せて右ボタン（又は左ボタン）をクリックする操作に応じて、その操作が行われた項目「平均値」の特徴量に関するグラフ表示（図６の右側の表示）へ表示の切り替えを行うことができる。
【００３５】
この他にも、たとえば、ラベル表示上のいずれか１つの項目の表示部分におけるユーザによるマウスのクリック操作に応じて、操作が行われた項目の特徴量に関するグラフ表示へ表示の切り替えを行うようにしてもよいし、ラベル表示上のいずれか１つの項目の表示部分でマウスのカーソルを所定時間以上保持するユーザによるマウス操作に応じて、操作が行われた項目の特徴量に関するグラフ表示へ表示の切り替えを行うようにしてもよい。また、ラベル表示上のいずれか１つの項目の表示部分でマウスを右クリックして表示されるメニューで「切り替え」ボタンを選択するユーザによるマウス操作に応じて、操作が行われた項目の特徴量に関するグラフ表示へ表示の切り替えを行うようにしてもよい。また、ラベル表示上でいずれか１つの項目が選択されている状態で、表示の切り替えに予め関連づけられたキーボードのキー操作（たとえば、矢印キー操作、「Ｃｔｒｌ」キーを押しながら「Ｇ」キーを押す操作等）が行われたことに応じて、操作が行われた項目の特徴量に関するグラフ表示へ表示の切り替えを行うようにしてもよい。
【００３６】
なお、上述のような複数項目の特徴量のうちいずれか１つの項目を選択するユーザによる入力を受け付けることなく、複数項目の特徴量に関するラベル表示からグラフ表示へ表示の切り替えを行う場合には、たとえば、事前に設定しておいた優先順位に従っていずれか１つの項目の特徴量を自動的に選択し、その選択された項目の特徴量に関するグラフ表示へ表示の切り替えを行うことができる。
【００３７】
表示制御部４４は、さらに、ユーザからの要求に応じて、グラフ表示やラベル表示の、各医用画像上における表示位置を変更したり、グラフ表示やラベル表示の表示を削除する機能を有することができる。
【００３８】
次に、医用画像処理装置３により行われる処理の流れを、図７に示すフローチャートを参照して説明する。なお、ここでは、ラベル表示を初期表示として表示させることが事前に設定されているものとする。まず、画像取得部４１が、ユーザからの要求に応じて、画像保管サーバ２から複数の医用画像を取得し、表示制御部４４が、画像取得部４１により取得された複数の医用画像を表示部５に並べて表示させる（Ｓ１）。次いで、関心領域設定部４２が、画像取得部４１により取得された複数の医用画像のそれぞれに関心領域を設定し（Ｓ２）、特徴量取得部４３が、画像取得部４１により取得された各医用画像について、関心領域設定部４２によって設定された関心領域の特徴量を画像解析により取得する（Ｓ３）。
【００３９】
その後、医用画像処理装置３が、入力部６による特徴量の表示を指示する入力の有無を判断し（Ｓ４）、特徴量の表示を指示する入力があった場合に（Ｓ４：ＹＥＳ）、次のステップＳ５に進み、表示制御部４４が、表示部５における各医用画像の関心領域近傍で、各医用画像の特徴量（関心領域の特徴量）の項目名と値を文字で表示したラベル表示（初期表示）を行う（Ｓ５）。その後、医用画像処理装置３が、入力部６による表示の切り替えを指示する入力の有無を判断し（Ｓ６）、表示の切り替えを指示する入力が有った場合には（Ｓ６：ＹＥＳ）、表示制御部４４が、グラフ表示とラベル表示の切り替えを行い（Ｓ７）、ステップＳ８に進む。一方、ステップＳ６において、表示の切り替えを指示する入力が無い場合には（Ｓ６：ＮＯ）、ステップＳ７を省略してステップＳ８に進む。そして、医用画像処理装置３が、入力部６による表示の終了を指示する入力の有無を判断し（Ｓ８）、表示の終了を指示する入力が無い場合には（Ｓ８：ＮＯ）、再びステップＳ６に戻る一方、表示の終了を指示する入力が有った場合には（Ｓ８：ＹＥＳ）、そこで処理を終了する。
【００４０】
なお、ここでは、ステップＳ４において、入力部６による特徴量の表示を指示する入力の有無を判断し、特徴量の表示を指示する入力があったときに、ラベル表示等の表示を開始するようにしている場合について説明したが、ステップＳ４を省略して、特徴量が取得され次第ラベル表示等の表示が開始されるようにしてもよい。
【００４１】
以上の構成により、本実施形態の医用画像処理装置３では、表示制御部４４が、表示部５に複数の医用画像を並べて表示するとともに、表示部５における複数の医用画像それぞれの表示領域内で、複数の医用画像の特徴量をグラフ上にプロットしたグラフ表示と、医用画像の特徴量の項目名と値を文字で表示したラベル表示とを切り替えるようにしているので、その時点での確認の対象がラベル表示又はグラフ表示のいずれか一方であるときに、他方の表示を一時的に非表示にすることができ、表示されている情報の視認性を高めることができる。これにより、複数の医用画像それぞれの表示領域上で、その医用画像の特徴量の値と、複数の医用画像にわたる特徴量の変化を効率よく確認することができる。
【００４２】
また、本実施形態の医用画像処理装置３では、表示制御部４４が、複数項目の特徴量に関するラベル表示上でいずれか１つの項目を選択するユーザによる入力を受け付けた場合に、その選択された項目の特徴量についてのグラフ表示へ表示を切り替えるようにしているので、ユーザは、所望の特徴量項目を選択してその特徴量に関するグラフを表示させることができ、所望の特徴量項目について複数の医用画像にわたる変化を効率よく確認することができる。
【００４３】
なお、上記実施の形態では、表示制御部４４が、入力部６による表示の切り替えを指示する入力に応じて、グラフ表示とラベル表示の切り替えを行う場合について説明したが、たとえば予め設定された時間間隔ごとにグラフ表示とラベル表示を自動で切り替えるようにしてもよい。
【００４４】
また、上記実施の形態では、各医用画像に設定された関心領域の特徴量についてラベル表示やグラフ表示を作成し表示する場合について説明したが、たとえば、医用画像全体に関する特徴量についてラベル表示やグラフ表示を作成し表示するようにしてもよいし、入力部６により医用画像上の２点を指定する操作を受け付け、指定された２点間の距離、指定された２点を通る直線上の画素値等の特徴量についてラベル表示やグラフ表示を作成し表示するようにしてもよい。
【符号の説明】
【００４５】
１     撮影装置
２     画像保管サーバ
３     医用画像処理装置
４     装置本体
４ａ   ＣＰＵ
４ｂ   メモリ
４ｃ   ＨＤＤ
５     表示部
６     入力部
４１   画像取得部
４２   関心領域設定部
４３   特徴量取得部
４４   表示制御部
【図１】
2016158828.tif 000003
【図２】
2016158828.tif 000004
【図３】
2016158828.tif 000005
【図４】
2016158828.tif 000006
【図５】
2016158828.tif 000007
【図６】
2016158828.tif 000008
【図７】
2016158828.tif 000009